(57)【要約】【課題】  ユーザが誤って「片面にのみ画像のある原稿」を裏返した状態で、自動原稿搬送装置に積載した場合、白紙面は画像形成せずに、白紙面の裏面である非白紙面のみを画像形成できる画像読取装置及び画像形成装置を提供する。【解決手段】  原稿を給紙する原稿給紙手段と、原稿の読み取りを行う原稿読み取り手段と、原稿の読み取り面に画像があるか否かを判定する画像検知手段と、原稿の読み取り面が最初の読み取りが行われた面であるか否かを判定する読み取り面判定手段と、原稿を反転させる原稿反転手段と、原稿反転手段による原稿の反転が行われた際、原稿の反転が行われたことを示す反転履歴データを記憶する反転履歴記憶手段と、を有する。【選択図】  図２
2006050290.tif 000002
【特許請求の範囲】
【請求項１】
原稿を給紙する原稿給紙手段と、
前記原稿の読み取りを行う原稿読取手段と、
前記原稿の読み取り面に画像があるか否かを判定する画像検知手段と、
前記原稿の読み取り面が最初の読み取りが行われた面であるか否かを判定する読み取り面判定手段と、
前記原稿を反転させる原稿反転手段と、
前記原稿反転手段による原稿の反転が行われた際、前記原稿の反転が行われたことを示す反転履歴データを記憶する反転履歴記憶手段と、
片面読み取り時において、
前記画像検知手段が前記原稿の読み取り面に画像がないと判定し、
前記読み取り面判定手段が、前記反転履歴データに基いて前記読み取り面が最初の読み取りが行われた面であると判定した場合、前記原稿反転手段が前記読み取り面を反転させ、前記原稿読み取り手段が前記読み取り面の裏面を読み取る読み取り制御手段を有することを特徴とする画像読取装置。
【請求項２】
前記画像検知手段による判断を実行するか否かの選択設定が行われる操作・表示手段をさらに有することを特徴とする請求項１記載の画像読取装置。
【請求項３】
請求項１又は２記載の画像読取装置を備えた画像形成装置であって、
原稿の読み取り面の画像に対する画像処理を行う画像処理手段と、
前記画像処理手段による画像処理後の画像データを取り扱う画像取扱手段と、
前記原稿の読み取り面に画像がないと検知した場合、前記画像取扱手段によるスキャナアプリにおける画像保存又はＦＡＸアプリにおける画像送信のうち少なくとも一方を行わないように制御する画像取扱抑制手段と、
を有することを特徴とする画像形成装置。
【請求項４】
請求項１又は２記載の画像読取装置を備えた画像形成装置であって、
原稿の読み取り面の画像に対する画像処理を行う画像処理手段と、
前記画像処理手段による画像処理後の画像データを印刷して出力する画像印刷手段と、
前記原稿の読み取り面に画像がないと検知した場合、前記画像印刷手段によるコピーアプリにおける印刷動作を行わないように制御する画像印刷抑制手段と、
を有することを特徴とする画像形成装置。
【請求項５】
前記画像取扱抑制手段は、
前記画像取扱手段に対し、画像処理後画像信号を用いて、画像形成の中止メッセージを送信し、前記画像読取手段による画像読み取り以降の画像形成処理を行わないように制御することを特徴とする請求項３記載の画像形成装置。
【請求項６】
前記画像印刷抑制手段は、
前記画像印刷手段に対し、画像処理後画像信号を用いて、画像形成の中止メッセージを送信し、前記画像読取手段による画像読み取り以降の画像形成処理を行わないように制御することを特徴とする請求項４記載の画像形成装置。
【請求項７】
前記画像検知手段による判断を実行するか否かの選択設定が行われる操作・表示手段をさらに有することを特徴とする請求項３から６のいずれか１項に記載の画像形成装置。
【発明の詳細な説明】
【技術分野】
【０００１】
本発明は、画像形成装置に関し、詳しくは、原稿の読取面に画像データがない場合、原稿表裏面反転動作を行い、読取面の裏面の読み取りを行う画像読取装置及び画像形成装置に関する。
【背景技術】
【０００２】
従来の画像形成装置において、自動原稿搬送装置に白紙原稿が混入されている場合、白紙である（画像がない）と検知した場合には該原稿の印刷処理を行わない、あるいは印刷処理は行うが白紙原稿であった旨をユーザに対して警告表示する方法が開示されている。
【０００３】
従来技術例として、不要な白紙原稿に対して画像形成を行わず、転写紙の無駄を省き、全ての原稿を全面読み取りする時間よりも短い時間で白紙原稿であるかどうかの判定を行い、その位置判定をオペレータが可変に設定できる「画像形成装置」がある（例えば、特許文献１参照）。
また、多枚数の原稿を複写する際、原稿上の画像の有無を判定し、原稿中に不要な白紙が混入している場合、白紙のコピーを出力しないことにより紙の無駄を省ける「画像形成装置」がある（例えば、特許文献２参照）。
また、自動原稿搬送装置であるＡＤＦ（オートドキュメントフィーダ）を装着したときに原稿中の有無を検知し、原稿が白紙の場合にはコピー出力を行わずに次の原稿を送ることにより白紙出力をしない「画像処理装置」がある（例えば、特許文献３参照）。
このような白紙検知の技術を用いた従来技術例は、すでに製品化及び商品化され、広く普及している。
【特許文献１】特開２０００−２０１２５４号公報
【特許文献２】特開平９−２６１３８３号公報
【特許文献３】特開平９−２８４４９０号公報
【発明の開示】
【発明が解決しようとする課題】
【０００４】
例えば、ユーザが誤って「片面にのみ画像のある原稿」を裏返した状態で、自動原稿搬送装置に積載した場合、白紙面は画像形成せずに、画像の存在する非白紙面のみを画像形成したいとユーザは希望するはずである。上記従来技術例によれば、原稿の両面を読み取るモード（以下、両面読み取りモードという）の場合は、白紙面は画像形成対象外と判断でき、非白紙面を画像形成対象と判断できる。しかしながら、原稿の片面のみを読み取るモード（以下、片面読み取りモードという）が設定されている等、片面読み取り時の場合は、白紙面は画像形成対象外と判断できるが、非白紙面が画像形成対象か否か判断できない。
【０００５】
また、上記従来技術例によれば、「片面にのみ画像のある原稿」を、両面読み取りモードで読み取るようにすると生産性が低下してユーザの作業効率が下がるという問題がある。
【０００６】
以上のことから、原稿読み取り時に画像形成対象であると判断した原稿面のみについて、読み取り処理以降の画像形成処理を行い、画像形成対象外と判断した原稿面はコピー印刷紙やＦＡＸ送信費等の無駄になるため、読み取り処理以降の画像形成処理を停止させる方法が必要となる。
【０００７】
本発明は、上記事情に鑑みてなされたものであり、片面読み取り時であっても、片面にのみ画像のある原稿が混在している場合、原稿の読み取り面が白紙であるかどうかを検知し、検知結果が白紙である場合には、原稿の読み取り面の裏面に画像があるかどうかを判定し、画像があると判定した場合、原稿の表裏面反転動作を行い、読み取り面の裏面を読み取ることによって、原稿の画像形成を効率的に行うことが可能な画像読取装置及び画像形成装置を提供することを目的とする。
【課題を解決するための手段】
【０００８】
かかる目的を達成するために、請求項１記載の発明は、原稿を給紙する原稿給紙手段と、原稿の読み取りを行う原稿読取手段と、原稿の読み取り面に画像があるか否かを判定する画像検知手段と、原稿の読み取り面が最初の読み取りが行われた面であるか否かを判定する読み取り面判定手段と、原稿を反転させる原稿反転手段と、原稿反転手段による原稿の反転が行われた際、原稿の反転が行われたことを示す反転履歴データを記憶する反転履歴記憶手段と、片面読み取り時において、画像検知手段が原稿の読み取り面に画像がないと判定し、読み取り面判定手段が、反転履歴データに基いて読み取り面が最初の読み取りが行われた面であると判定した場合、原稿反転手段が読み取り面を反転させ、原稿読み取り手段が読み取り面の裏面を読み取る読み取り制御手段を有することを特徴とする。
【０００９】
請求項２記載の発明は、請求項１記載の発明において、画像検知手段による判断を実行するか否かの選択設定が行われる操作・表示手段をさらに有することを特徴とする。
【００１０】
請求項３記載の発明は、請求項１又は２記載の画像読取装置を備えた画像形成装置であって、原稿の読み取り面の画像に対する画像処理を行う画像処理手段と、画像処理手段による画像処理後の画像データを取り扱う画像取扱手段と、原稿の読み取り面に画像がないと検知した場合、画像取扱手段によるスキャナアプリにおける画像保存又はＦＡＸアプリにおける画像送信のうち少なくとも一方を行わないように制御する画像取扱抑制手段と、を有することを特徴とする。
【００１１】
請求項４記載の発明は、請求項１又は２記載の画像読取装置を備えた画像形成装置であって、原稿の読み取り面の画像に対する画像処理を行う画像処理手段と、画像処理手段による画像処理後の画像データを印刷して出力する画像印刷手段と、原稿の読み取り面に画像がないと検知した場合、画像印刷手段によるコピーアプリにおける印刷動作を行わないように制御する画像印刷抑制手段と、を有することを特徴とする。
【００１２】
請求項５記載の発明は、請求項３記載の発明において、画像取扱抑制手段は、画像取扱手段に対し、画像処理後画像信号を用いて、画像形成の中止メッセージを送信し、画像読取手段による画像読み取り以降の画像形成処理を行わないように制御することを特徴とする。
【００１３】
請求項６記載の発明は、請求項４記載の発明において、画像印刷抑制手段は、画像印刷手段に対し、画像処理後画像信号を用いて、画像形成の中止メッセージを送信し、画像読取手段による画像読み取り以降の画像形成処理を行わないように制御することを特徴とする。
【００１４】
請求項７記載の発明は、請求項３から６のいずれか１項に記載の発明において、画像検知手段による判断を実行するか否かの選択設定が行われる操作・表示手段をさらに有することを特徴とする。
【発明の効果】
【００１５】
本発明の画像読取装置及び画像形成装置によれば、原稿の片面読み取り時において、白紙面を画像形成対象外と判断するだけでなく、非白紙面が画像形成対象か否かを判断できる。よって、ユーザが誤って「片面にのみ画像のある原稿」を裏返した状態で、自動原稿搬送装置に積載した場合、白紙面は画像形成せずに、白紙面の裏面である非白紙面のみを画像形成でき、ユーザの作業効率を高めることが可能となる。
【発明を実施するための最良の形態】
【００１６】
以下、本発明を実施するための最良の形態について添付図面を参照して詳細に説明する。
【００１７】
本発明の実施形態である画像読取装置及び画像形成装置の構成について、図１を参照して説明する。
回転可能に支持されて図１の矢印方向に回転する感光体１の外周部には、除電装置Ｌと、クリーニング装置２と、帯電装置３と、現像装置５とが配設されている。感光体１の外周部における帯電装置３と現像装置５との間には、露光装置４から発せられる光情報を入射させるスペースが確保されている。
【００１８】
図１に示す構成では感光体１が４個（１ａ，１ｂ，１ｃ，１ｄ）あるが、現像装置５が扱う色材（トナー）の色が異なるのみであり、それぞれの外周部に設けられる画像形成用の上述した部品構成は同じである。
【００１９】
感光体１は、直径が３０ｍｍから１００ｍｍ程度のアルミニュム円筒表面に、光導電性物質である有機半導体の層を設けて構成され、その一部が中間転写ベルト（第１の顕像担持手段）１０に接している。
【００２０】
中間転写ベルト１０は、回転するローラ１１、１２、１３により支持され、図１の矢印方向に移動可能に張架されている。この中間転写ベルト１０の裏側（ループの内側）には、第１の転写手段２０が感光体１の近傍に配備され、感光体１上の顕像を中間転写ベルト１０に転写させる。
【００２１】
中間転写ベルト１０のベルトループの外側における、中間転写ベルト１０から顕像を記録媒体または裏面用中間転写ベルト（第２の顕像担持手段）１００に転写する位置の下流に、中間転写ベルト用クリーニング装置２５が配設されている。このクリーニング装置２５は、中間転写ベルト１０から顕像が他に転写された後でベルト表面に残留する不要のトナーを拭い去る。
【００２２】
露光装置４は公知のレーザ方式によるもので、フルカラー画像形成に対応した光情報を、一様に帯電された感光体１表面に潜像として照射する。この露光装置４としては、ＬＥＤアレイと結像手段とから成る露光装置を用いてもよい。
【００２３】
このように、上述した感光体１と、クリーニング装置２と、帯電装置３と、露光装置４と、現像装置５と、除電装置Ｌと、第１の転写手段２０とが、中間転写ベルト１０に転写する顕像（トナーによる像）を生成する画像印刷手段３０３（図２参照）として機能する。
【００２４】
中間転写ベルト１０は、基体の厚みが５０μｍ乃至６００μｍの樹脂フィルムあるいはゴムを基体にしたベルトであり、感光体１からトナーを転写可能とする抵抗値を備える。
この中間転写ベルト１０に対して図１の右方には、ベルト状の裏面用中間転写ベルト（第２の顕像担持手段）１００が配設されている。この裏面用中間転写ベルト１００は、回転ローラ１１１、１１２、１１３により支持され、図１の矢印方向に移動可能に張架されており、裏側（ループの内側）には、第２の転写手段１２０が配設されている。裏面用中間転写ベルト１００によるベルトループの外側に、この裏面用中間転写ベルト用クリーニング装置２５０、チャージャＣＨ、などが配設されている。
クリーニング装置２５０は、用紙にトナーを転写した後、裏面用中間転写ベルト１００上に残留する不要のトナーを拭い去る。
【００２５】
上述した第２の転写手段１２０と、ローラ１１３と、中間転写ベルト１０を支持するローラ１１とにより、中間転写ベルト１０と裏面用中間転写ベルト１００とは接触し、あらかじめ定められた転写ニップを形成する。
【００２６】
裏面用中間転写ベルト１００は、基体の厚みが５０μｍ乃至６００μｍの樹脂フィルムあるいはゴムを基体にしたベルトで、中間転写ベルト１０からトナーを転写可能とする抵抗値を備えるベルトである。
【００２７】
記録媒体（用紙）Ｐは図の下方の給紙装置（給紙カセット）２６−１、２６−２に収納されており、最上にある用紙が給紙ローラ２７で１枚づつ、複数のガイド２９を経てレジストローラ対２８に搬送される。
記録媒体Ｐが搬送されるさらに下流には、定着用加熱手段３０、排紙ガイド対３１、排紙ローラ対３２、排紙スタック部４０が配設されている。
【００２８】
図１における中間転写ベルト１０の上方で排紙スタック部４０の下方には、補給用のトナーが収納できる収納部ＴＳが設けてある。トナーの色はマゼンタ、シアン、イエロー、ブラックの四色があり、カートリッジＴＣの形態にされている。このカートリッジＴＣからは、粉体ポンプ等により対応する色の現像装置に適宜補給される。
【００２９】
こうした装置本体の一部であるフレーム５０は、開閉支軸５０Ａを中心として、回動・開放が可能な構造にされている。このため、ユーザはこのフレーム５０を開いた状態とすることにより記録媒体の搬送路を大きく開くことができ、ジャムが発生した場合の記録媒体（用紙）の処理を容易にしている。
【００３０】
また、上述した記録媒体Ｐへの画像形成を行う装置本体の上部に画像読み取り手段６０が支持部６６を介して連設され、この画像読み取り手段６０により読み取られた画像データを上述した装置本体が記録媒体Ｐに印刷することで、コピー動作を可能にするよう構成されている。
【００３１】
この画像読み取り手段６０は、自動原稿搬送手段である自動原稿送り装置（ＡＤＦ）６１と、コンタクトガラス６２と、露光ランプ６３と、露光ランプ６３による原稿画像からの反射光を反射させて所定の光路に導く複数の反射ミラー６４と、導かれた反射光を受光するイメージセンサアレイ６５とを備え、原稿画像の片面または両面を自動原稿送り装置６１により自動的にコンタクトガラス６２上に読み取り可能にセットして読み取ることができるように構成されている。
【００３２】
画像読み取り手段６０の外周部には、図２に示す操作・表示手段３０４（表示手段、かつ入力手段）が設けられている。この操作・表示部３０４は、ユーザに各種の操作情報を表示により通知すると共に操作入力を受けるタッチパネルや、テンキーなど各種のボタンを備える。
ユーザは、この操作・表示手段３０４により、コピーの片面／両面切り替え、コピー動作の開始、コピー枚数の設定、コピー機能とプリンタ機能との切り替えなどの各種操作を行う。
【００３３】
次に、本発明の実施形態における制御のための構成のブロックを図２に示す。図２の太線は画像データ、細線は制御データを示す。
【００３４】
図２に示すように、自動原稿搬送手段６１により搬送された原稿を対象として、画像読み取り手段６０により読み取られた原稿の読み取り画像信号は、画像処理手段３０２へと入力され、画像処理が施される。
【００３５】
画像処理手段３０２は、一般的な画像処理機能に加えて、入力された読み取り画像信号に基づいて、読み取り原稿の読み取り面に画像があるか否かを検知する白紙検知（画像検知）機能を有している。そして、この画像処理手段３０２の検知結果に従って、画像処理後画像信号は、画像印刷手段３０３へ送信され、コピーアプリ印刷等の画像形成が行われるか、又は、画像受信外部手段３０５へ送信され、スキャナアプリ画像保存やＦＡＸアプリ画像送信が行われる。画像受信外部手段３０５は、受信した画像処理後画像信号に基づき、画像データ（本実施形態の画像データは、画像情報又は文字情報を含むものとする）をハードディスク等の記憶媒体へ格納する。
【００３６】
ユーザによる操作及びユーザへの指示内容表示は、操作・表示手段３０４が使用される。システム制御手段３０６は、自動原稿搬送手段６１、画像読み取り手段６０、画像処理手段３０２、画像印刷手段３０３、操作・表示手段３０４、及び画像データの保存や送信等、画像データを取り扱う画像受信外部手段３０５を制御する。
【００３７】
また、システム制御手段３０６内には、一時記憶部１００が備えられている。この一時記憶部１００は、原稿の反転動作が行われた際、反転した履歴を反転履歴データとして記憶するメモリである。
【００３８】
次に、本実施形態の処理動作例１について、図３を参照して説明をする。処理動作例１は、本実施形態の画像形成装置において片面読み取り時を想定している。
【００３９】
まず、ユーザによって自動原稿搬送手段６１に載置された原稿に対し、自動原稿搬送手段６１による原稿給紙、及び画像読み取り手段６０によって給紙された原稿の第１面（最初に読み取りが行われる面）の読み取り処理が行われる（ステップＳ１）。ここで、画像処理手段３０２は、原稿の読み取り面である第１面に画像があるか否か（白紙であるか否か）を判断する画像検知処理を行う（ステップＳ２）。第１面に画像がある（第１面が白紙でない）と検知した場合（ステップＳ２／ＮＯ）、システム制御手段３０６は、この読み取り面である第１面を画像形成対象と判断し、画像印刷手段３０３は、画像処理手段３０２から第１面上の画像の画像データを受信し、コピーして排紙するとともに、原稿自体も装置外に排紙する（ステップＳ５）。
【００４０】
画像処理手段３０２が、第１面に画像がない（第１面が白紙である）と検知した場合（ステップＳ２／ＹＥＳ）、システム制御手段３０６は、読み取り面である第１面を画像形成対象外と判断する。次に、画像処理手段３０２は、読み取り面が第１面であるかどうか（最初に読み取りが行われた面であるかどうか）を判定する（ステップＳ３）。ここで、画像処理手段３０３は、システム制御手段３０６の一時記憶部１００に問い合わせ処理を実行する。一時記憶部１００は、当該原稿の反転履歴データをこの時点では記憶していないので、画像処理手段３０３は、読み取り面は最初に読み取り処理が行われた面であると判断し、第１面と判定する（ステップＳ３／ＹＥＳ）。
【００４１】
次に、システム制御手段３０６は、自動原稿搬送手段６１を制御して原稿面反転処理を行い、第１面の裏面である第２面を読み取り面とする（ステップＳ４）。ここで、原稿面反転処理が行われた際、当該原稿が反転済みであることを示す反転履歴データがシステム制御手段３０６内の一時記憶部１００に記録される。
【００４２】
システム制御手段３０６は、再度、第２面に対し、自動原稿搬送手段６１による原稿給紙処理、及び画像読み取り手段６０による読み取り処理を行うように制御する（ステップＳ１）。
【００４３】
そして、再度、画像処理手段３０２は、原稿の第２面に画像があるか否か（白紙であるか否か）を判断する画像検知処理を行う（ステップＳ２）。第２面に画像がある（第２面が白紙でない）と検知した場合（ステップＳ２／ＮＯ）、システム制御手段３０６は、第２面を画像形成対象と判断し、画像印刷手段３０３は、画像処理手段３０２から第２面上の画像の画像データを受信し、コピーして排紙するとともに、原稿自体も装置外に排紙する（ステップＳ５）。
【００４４】
画像処理手段３０２が、第２面に画像がない（第２面が白紙である）と検知した場合（ステップＳ２／ＹＥＳ）、システム制御手段３０６は、読み取り面である第２面を画像形成対象外と判断する。次に、画像処理手段３０２は、読み取り面が第１面（最初に読み取りが行われた面であるかどうか）であるかどうかを判定する（ステップＳ３）。
【００４５】
ステップＳ３の判定において、画像処理手段３０３は、システム制御手段３０６の一時記憶部１００に問い合わせ処理を実行する。一時記憶部１００は、当該原稿の反転履歴データを記憶しているので、画像処理手段３０２は、反転履歴データを元に読み取り面が第１面（最初に読み取りが行われた面）ではないと判断し（ステップＳ３／ＮＯ）、原稿を装置外へ排紙する（ステップＳ５）。
【００４６】
ここで、第１面、第２面ともに画像がない場合、この白紙原稿については、コピー排紙をしないようにする、又は、一連の処理を停止して、両面とも白紙である旨を操作・表示手段３０４にてユーザに警告する、又は、白紙としてコピー排紙する、のいずれかの方法を用いることができる。
【００４７】
以上のことから、本実施形態によれば、片面読み取り時においても画像形成対象を判断できるため、ユーザの作業効率を高めることが可能となる。
【００４８】
次に、本実施形態の処理動作例２について、図２及び３を参照して説明をする。処理動作例２は、上記処理動作例１と同様、本実施形態の画像形成装置において片面読み取り時を想定している。
【００４９】
上記処理動作例１と同様、ユーザによって自動原稿搬送手段６１に載置された原稿に対し、自動原稿搬送手段６１による原稿給紙、及び画像読み取り手段６０によって給紙された原稿の第１面（最初に読み取りが行われる面）の読み取り処理が行われる（ステップＳ１）。ここで、画像処理手段３０２は、原稿の読み取り面である第１面に画像があるか否か（白紙であるか否か）を判断する画像検知処理を行う（ステップＳ２）。
【００５０】
処理動作例２では、画像処理手段３０２が原稿の読み取り面を白紙であると検知した場合（ステップＳ２／ＹＥＳ）、システム制御手段３０６が、画像処理手段３０２から画像印刷手段３０３、もしくは画像受信外部手段３０５へ送信される画像処理後画像信号を出力しないように制御し、その後の画像形成を行わないように制御する。あるいは、画像処理手段３０２からシステム制御手段３０６経由で、画像印刷手段３０３、もしくは画像受信外部手段３０５に対し、画像処理後画像信号を用いた画像形成の中止メッセージを送信することにより、その後の画像形成を行わせないように制御してもよい。
【００５１】
以上のことから、本実施形態によれば、読み取り処理以降の画像形成処理を停止させることができるため、ユーザにとって作業の無駄を省くことが可能となる。
【００５２】
次に、本実施形態の処理動作例３について、図２及び３を参照して説明をする。
【００５３】
ユーザが自動原稿搬送装置に、表裏面間違いなく原稿を積載した場合、上記処理動作例１や処理動作例２の白紙検知や原稿表裏面反転の制御動作は不要である。そこで、このような制御動作を利用するか否かを予めユーザが選択できる方法も必要となる。
【００５４】
本実施形態では、操作・表示手段３０４に「原稿白紙面検知モード」のＯＮ／ＯＦＦを設定するキー（図示しない）を有する。ユーザによって予めキーがＯＮに設定されている時は、システム制御手段３０６は、図３に示したステップＳ１〜ステップＳ５の各処理を行うように各手段を制御し、ユーザによってキーがＯＦＦにされている時は、通常の画像形成処理（図３に示したステップＳ１及びＳ５の処理）を行うように制御する。
【００５５】
以上のことから、本実施形態によれば、操作・表示手段３０４での「原稿白紙面検知モード」設定キーによるモード切り替えによって、白紙検知を行うかどうかをユーザが選択することが可能となる。
【００５６】
以上、本発明の実施形態について説明したが、上記実施形態に限定されるものではなく、その要旨を逸脱しない範囲において種々の変形が可能である。
【図面の簡単な説明】
【００５７】
【図１】本発明の実施形態である画像形成装置の内部構成の概要を示す図である。
【図２】本発明の実施形態である画像形成装置における制御系統の構成を示すブロック図である。
【図３】本発明の実施形態である画像形成装置の処理動作を示すフローチャートである。
【符号の説明】
【００５８】
１（１ａ，１ｂ，１ｃ，１ｄ）    感光体
２    クリーニング装置
３    帯電装置
４    露光装置
５    現像装置
Ｌ    除電装置
１０    中間転写ベルト（第１の顕像担持手段）
１１、１２、１３    ローラ
２０    第１の転写手段
２５    中間転写ベルト用クリーニング装置
１００    裏面用中間転写ベルト（第２の顕像担持手段）
１１１、１１２、１１３    ローラ
１２０    第２の転写手段
２５０    裏面用中間転写ベルト用クリーニング装置
２５０Ａ    クリーニング装置用揺動支点
２６    給紙カセット
２７    給紙ローラ
２８    レジストローラ対
２９    ガイド
３０    定着用加熱手段
４０    排紙スタック部
５０    開閉フレーム
５０Ａ    開閉支軸
６０    画像読み取り手段
６１    自動原稿送り装置（ＡＤＦ：原稿給紙手段、原稿反転手段）
６２    コンタクトガラス
６３    露光ランプ
６４    反射ミラー
６５    イメージセンサアレイ
６６    支持部
１０１    一時記憶部（反転履歴記憶手段）
３０２    画像処理手段（画像検知手段、読み取り面判定手段）
３０３    画像印刷手段
３０４    操作・表示手段
３０５    画像受信外部手段（画像取扱手段）
３０６    システム制御手段（読み取り制御手段、画像取扱抑制手段、画像印刷抑制手段）
【図１】
2006050290.tif 000003
【図２】
2006050290.tif 000004
【図３】
2006050290.tif 000005